【手続補正書】
【提出日】平成17年2月1日(2005.2.1)
【手続補正１】
【補正対象書類名】明細書
【補正対象項目名】発明の名称
【補正方法】変更
【補正の内容】
【発明の名称】無線基地局装置、制御局装置、通信端末装置、送信信号生成方法、受信方法及び無線通信システム
【手続補正２】
【補正対象書類名】明細書
【補正対象項目名】特許請求の範囲
【補正方法】変更
【補正の内容】
【特許請求の範囲】
【請求項１】
通信端末と通信を行う無線基地局装置であって、
上りパケット送信に用いる１つの通信端末宛の複数種類の制御情報を、１つの拡散コードと前記複数種類の制御情報毎に異なるシンボルパターンとを用いて多重化し、送信信号を形成する送信信号形成手段を具備する
ことを特徴とする無線基地局装置。
【請求項２】
通信端末と通信を行う無線基地局装置であって、
第１の通信端末宛の送信データを、前記第１の通信端末に割り当てられた第１の拡散コードを用いて拡散し、前記第１の通信端末宛の第１の個別チャネル信号を形成すると共に、第２の通信端末宛の送信データを、前記第２の通信端末に割り当てられた第２の拡散コードを用いて拡散し、前記第２の通信端末宛の第２の個別チャネル信号を形成する第１の送信信号形成手段と、
上りパケット送信に用いる、前記第１の通信端末宛の第１の複数種類の制御情報と前記第２の通信端末宛の第２の複数種類の制御情報とを、前記第１及び第２の通信端末で共通の第３の拡散コードと前記第１及び第２の複数種類の制御情報それぞれに異なるシンボルパターンとを用いて多重化し、前記第１と第２の通信端末宛の送信信号を形成する第２の送信信号形成手段と
を具備することを特徴とする無線基地局装置。
【請求項３】
通信端末と通信を行う無線基地局装置であって、
上りパケット送信に用いる通信端末宛の複数種類の制御情報の複数通信端末分を、シンボルパターンと拡散コードの組み合わせが異なる、シンボルパターンと拡散コードとを用いて多重する多重手段を備え、
前記多重手段は、１つの端末宛の前記複数の制御情報には同じ拡散コードを用いて多重する
ことを特徴とする無線基地局装置。
【請求項４】
上りパケット送信に用いる通信端末宛の複数種類の制御情報の複数通信端末分を、シンボルパターンと拡散コードの組み合わせが異なる、シンボルパターンと拡散コードとを割り当てる割り当て手段を備え、
前記割り当て手段は、１つの通信端末宛の前記複数の制御情報には同じ拡散コードを割り当てる
ことを特徴とする制御局装置。
【請求項５】
個別チャネル信号の送信電力を個別チャネル毎に制御する第１の送信電力制御手段と、
前記通信端末宛の制御情報の送信電力を、対応する通信端末の個別チャネルの送信電力に基づいて制御する第２の送信電力制御手段と
を具備することを特徴とする請求項１、請求項２又は請求項３に記載の無線基地局装置。
【請求項６】
前記制御情報は、送信パケットの伝送レート、符号化率、拡散率、拡散コード数、変調方式、パケットのデータサイズ、送信電力、又は再送に関する情報である
ことを特徴とする請求項１、請求項２又は請求項３に記載の無線基地局装置。
【請求項７】
上りパケット送信に用いる複数種類の制御情報を取り出すために、無線基地局装置から受信した信号を通信端末装置に設定された１つの拡散コードを用いて逆拡散する逆拡散手段と、
前記逆拡散信号中に複数のシンボルパターンを用いて多重化された自局宛の複数種類の制御情報を、基地局から通知されたシンボルパターンに基づいて取り出すチャネルデコード手段と、
前記チャネルデコード手段で取り出した前記複数種類の制御情報に基づいて、上り送信パケットを形成する送信信号形成手段と
を具備することを特徴とする通信端末装置。
【請求項８】
前記制御情報は、送信パケットの伝送レート、符号化率、拡散率、拡散コード数、変調方式、パケットのデータサイズ、送信電力、又は再送に関する情報である
ことを特徴とする請求項７に記載の通信端末装置。
【請求項９】
１つの通信端末宛の複数種類の制御情報を、前記複数種類の制御情報毎に異なる直交シンボルパターンを用いてチャネル符号化するチャネル符号化手順と、
前記チャネル符号化後の複数種類の制御情報に対して、共通の１つの拡散コードで拡散する拡散手順と
を含むことを特徴とする送信信号生成方法。
【請求項１０】
自通信端末宛の複数種類の制御情報の受信方法であって、
受信信号を、前記複数種類の制御情報に共通の１つの拡散コードで逆拡散する逆拡散手順と、
前記逆拡散後の信号を、前記複数種類の制御情報毎に異なる複数の直交シンボルパターンを用いてチャネル復号化するチャネル復号手順と
を含むことを特徴とする受信方法。
【請求項１１】
上りパケット送信に用いる１つの通信端末宛の複数種類の制御情報を伝送する無線通信システムであって、
前記１つの通信端末宛の複数種類の制御情報毎に異なる直交シンボルパターン及び前記１つの通信端末宛の複数種類の制御情報に共通の１つの拡散コードを、無線基地局装置と通信端末装置とに指示する制御局装置と、
前記直交シンボルパターンと前記拡散コードとを用いて、前記複数の制御情報を送信する無線基地局装置と、
前記直交シンボルパターンと前記拡散コードとを用いて、前記複数の制御情報を取り出す移動局装置と
を有することを特徴とする無線通信システム。
【手続補正３】
【補正対象書類名】明細書
【補正対象項目名】０１６８
【補正方法】変更
【補正の内容】
【０１６８】
この実施の形態では、無線ネットワーク制御局などの上位装置からのシグナリングで上記物理チャネルパラメータを設定する。図２４に、これを実現するためのシステム構成を示す。
【手続補正４】
【補正対象書類名】明細書
【補正対象項目名】０１７２
【補正方法】変更
【補正の内容】
【０１７２】
これにより、図２３に示すように、同一の物理チャネルパラメータが無線ネットワーク制御局６００から基地局７００及び通信端末８００の両方に伝送され、各装置の物理レイヤ７０１、８０３にこの物理チャネルパラメータが設定されるようになる。
【手続補正５】
【補正対象書類名】明細書
【補正対象項目名】図面の簡単な説明
【補正方法】変更
【補正の内容】
【図面の簡単な説明】
【図１】
本発明の実施の形態１に係る無線基地局装置の構成を示すブロック図
【図２】
実施の形態１の通信端末装置の構成を示すブロック図
【図３】
実施の形態１の無線基地局装置により得られる各チャネルの信号の様子を示す図
【図４】
下り回線物理チャネルにおけるタイミング関係を示す図
【図５】
ＰＩＣＨのフレーム構成を示す図
【図６】
ページングインジケータの個数とＰＩＣＨビットマッピングとの関係を示す図表
【図７】
ＰＩＣＨのデータ構造を流用する場合の制御情報用チャネル信号形成ユニットの構成を示すブロック図
【図８】
ＰＩＣＨのデータ構造を流用した場合のチャネルデコード部の構成を示すブロック図
【図９】
実施の形態２の制御情報用チャネル信号形成ユニットの構成を示すブロック図
【図１０】
実施の形態２の通信端末装置の受信系の特徴部分を示すブロック図
【図１１】
実施の形態２の制御情報用チャネル信号形成ユニットの構成を示すブロック図
【図１２】
実施の形態３の無線基地局装置の構成を示すブロック図
【図１３】
実施の形態３のチャネルエンコード部の構成を示すブロック図
【図１４】
実施の形態３の通信端末装置の構成を示すブロック図
【図１５】
実施の形態３のチャネルデコード部の構成を示すブロック図
【図１６】
実施の形態３の動作の説明に供する各チャネルのフレーム構成図
【図１７】
ＰＲＡＣＨとＡＩＣＨ間のタイミング関係を示す図
【図１８】
ＡＩＣＨの構成を示す図
【図１９】
アクイジションインジケータとして用いられるシンボルパターンを示す図
【図２０】
実施の形態４の無線基地局装置の構成を示す図
【図２１】
実施の形態４の無線基地局装置から送信される制御情報用チャネル信号の送信電力を示す図
【図２２】
１フレーム内での制御情報用チャネル信号の送信電力を一定とした場合を示す図
【図２３】
上位装置から通信端末及び基地局への物理チャネルパラメータのシグナリングを示す図
【図２４】
実施の形態５による物理チャネルパラメータをシグナリングにより設定するためのシステムの構成を示す図
【図２５】
従来の無線基地局装置の構成を示すブロック図
【図２６】
従来の通信端末装置の構成を示す図
【図２７】
従来の各個別チャネルのフレーム構成図